【事件の表示】
　特願２０００−３３５７３５「インクジェット式記録装置のフラッシング方法及びインクジェット式記録装置」拒絶査定不服審判事件〔平成１４年　５月１４日出願公開、特開２００２−１３７４１５〕について、次のとおり審決する。
【結　論】
　本件審判の請求は、成り立たない。
【理　由】
第１　手続の経緯
　本願は、平成１２年１１月２日の出願であって（以下、平成１２年１１月２日を「本願出願日」という。）、その出願からの主だった経緯を箇条書きにすると以下のとおりである。
・平成１２年１１月　２日　　　本願出願
・平成１４年１１月　７日付け　原審にて拒絶理由の通知
・平成１５年　１月　７日付け　意見書・手続補正書の提出
・平成１５年　３月２０日付け　原審にて拒絶査定の通知
・平成１５年　４月２５日付け　本件審判請求
・平成１５年　５月２１日付け　審判請求書に係る手続補正書及び明細書に係る手続補正（平成１４年改正前特許法第１７条の２第１項３号の規定に基づく手続補正であり、以下、「本件補正」という。）書の提出
・平成１７年　９月　１日付け　審尋の通知
・平成１７年１０月１１日付け　回答書の提出
　
第２　補正の却下の決定
【補正の却下の決定の結論】
平成１５年５月２１日付けの明細書に係る手続補正を却下する。
　
【理由】
１．補正事項
　本件補正後の【請求項１】乃至【請求項４】は、それぞれ本件補正前の【請求項１】乃至【請求項４】に対応するものであり、これら請求項の補正は次の補正事項からなっている。
　補正事項１：本件補正前【請求項１】及び【請求項３】の「記録ヘッドとの間に隙間が形成された状態にあるキャッピング手段にインクを吐出させるインクジェット式記録装置」を「印刷途中において記録ヘッドとの間に隙間が形成された状態にあるキャッピング手段にインクを吐出させるインクジェット式記録装置」と補正する。
　補正事項２：本件補正前【請求項１】に「前記隙間からキャッピング手段に流れ込む気流を予め発生させ」及び「前記隙間からキャッピング手段に流れ込む気流を発生させ」との発明特定事項を追加する。
　補正事項３：本件補正前【請求項１】の「インクミスト」を「記録ヘッドとキャッピング手段の間に漂うインクミスト」と補正する。
　補正事項４：本件補正前【請求項１】の「インクミストを吸引する」を「インクミストを前記キャッピング手段に吸収する」と補正する。
　補正事項５：本件補正前【請求項２】及び【請求項４】に「と共に、記録装置内の温度上昇を抑えるための排気ファンが前記フラッシング動作中停止する」との発明特定事項を追加する。
　補正事項６：本件補正前【請求項３】の「前記キャッピング手段に接続された吸引ポンプは、少なくともフラッシング制御手段からの信号を受けて動作するポンプ駆動手段により駆動制御され、前記ポンプ駆動手段によって前記記録ヘッドがフラッシング駆動される前から、吸引ポンプが駆動される」を「前記吐出したインクを受けるキャッピング手段に接続された吸引ポンプを記録ヘッドがフラッシング駆動される前から駆動し、前記隙間からキャッピング手段に流れ込む気流を予め発生させ、かつ、前記記録ヘッドのフラッシング駆動中も、前記吸引ポンプを駆動し、前記隙間からキャッピング手段に流れ込む気流を発生させ、記録ヘッドとキャッピング手段の間に漂うインクミストを前記キャッピング手段に吸引する」と補正する。
　
２．補正目的
　補正事項１〜６が、請求項削除（特許法第１７条の２第４項１号）や誤記の訂正（同項３号）を目的とするものでないことは明らかである。また、特許法第１７条の２第４項４号は、明りようでない記載の釈明を目的とする補正を無条件に認めているのではなく、「拒絶理由通知に係る拒絶の理由に示す事項についてするものに限る。」との条件を付しているところ、補正前の記載が明りようでない旨の拒絶理由は通知されていない。したがって、本件補正は、特許法第１７条の２第４項４号の規定にも該当しない。
（１）補正事項１について
　補正事項１は、「キャッピング手段にインクを吐出させるインクジェット式記録装置」について「印刷途中において」と限定するものであるから、特許請求の範囲の減縮（特許法第１７条の２第４項２号に該当）を目的とするものと認める。
（２）補正事項２について
　本件補正前の【請求項１】では、「記録ヘッド」と「キャッピング手段」との間に「隙間が形成された状態」にある。また、「吐出したインクを受けるキャッピング手段に接続された吸引ポンプを記録ヘッドがフラッシング駆動される前から駆動し、かつ、前記記録ヘッドのフラッシング駆動中も、前記吸引ポンプを駆動し」ている。さらに、「ノズル開口からインク滴を吐出」することにより「インクミスト」は発生するものであるから、「インクミスト」は「ノズル開口」と「キャッピング手段」との間に存在することは明らかである。しかも、「キャッピング手段」は「インクミスト」を「吸引する」ものである。そうすると、「記録ヘッド」と「キャッピング手段」との間の「隙間」が、記録ヘッドのフラッシングにより吐出されたインク及び発生するインクミストがキャッピング手段に吸引される程度の大きさ（広さ）でしかないことが自明であり、また、「ノズル開口」と「キャッピング手段」との間に存在する「インクミスト」が「吸引」されるのであるから、「記録ヘッド」と「キャッピング手段」との隙間には、フラッシング駆動前から気流が発生していることは明らかであって、補正事項２は、既に【請求項１】で採用されていると解すべきである。したがって、補正事項２は、特許請求の範囲の減縮を目的とすると認めることはできない。
（３）補正事項３について
　本件補正前【請求項１】では、吸引ポンプを駆動する際には記録ヘッドとキャッピング手段との間には隙間が形成された状態にある。そして、フラッシング駆動前から吸引ポンプを駆動し、かつ、フラッシング駆動中に吸引ポンプを駆動してインクミストを吸収するのであるから、吸引するインクミストは記録ヘッドとキャッピング手段との間に存在したもの、すなわち、記録ヘッドとキャッピング手段との間に漂うものであることは明らかである。そうすると、補正事項３は、既に【請求項１】で採用されていると解すべきである。したがって、補正事項３は、特許請求の範囲の減縮を目的とすると認めることはできない。
（４）補正事項４について
　本件補正前【請求項１】では、キャッピング手段に接続された吸引ポンプを駆動してインクミストを吸引している、すなわち、インクミストはキャップ手段に吸引されていることが明らかである。そうすると、補正事項４は、既に【請求項１】で採用されていると解すべきである。したがって、補正事項４は、特許請求の範囲の減縮を目的とすると認めることはできない。
（５）補正事項５について
　補正事項５は、【請求項２】及び【請求項４】に記載した発明を特定するために必要な事項の全体を限定するものであるから、特許請求の範囲の減縮（特許法第１７条の２第４項２号に該当）を目的とするものと認める。
（６）補正事項６について
　補正事項６を限定的減縮と解することはできない。なぜなら、本件補正前【請求項3】では、「吸引ポンプ」が「少なくともフラッシング制御手段からの信号を受けて動作するポンプ駆動手段により駆動制御され」るのに対し、補正事項6により本件補正後【請求項３】では、前記「少なくともフラッシング制御手段からの信号を受けて動作するポンプ駆動手段により駆動制御され」が削除され、「吸引ポンプ」が如何なる手段によって駆動制御されるのかが不明となった。また、補正事項６は、補正事項２〜４を含むものであり、上記「（２）補正事項２について」〜「（４）補正事項４」と同様に、補正事項２〜４に相当する補正事項は既に【請求項３】で採用されていると解すべきである。したがって、補正事項６は、特許請求の範囲に拡張になり、特許請求の範囲の減縮を目的とすると認めることはできない。
　
　なお、本件補正事項１及び５は特許請求の範囲の減縮（特許法第１７条の２第４項２号に該当）に当たるから、以下では本件補正後の【請求項１】及び【請求項２】に係る発明が、特許出願の際独立して特許を受けることができるかどうか検討する。
　
３．本件補正後の【請求項１】及び【請求項２】に係る発明の認定
　本件補正後の【請求項１】及び【請求項２】に係る発明は、本件補正により補正された明細書の特許請求の範囲の【請求項１】及び【請求項２】に記載された事項により特定される次のとおりのものと認める（以下、それぞれ「補正発明１」及び「補正発明２」という。）。
　補正発明１：「記録用紙の幅方向に移動するキャリッジ上に装填され、ノズル開口からインク滴を吐出して記録媒体に画像を形成するインクジェット式記録ヘッドを備え、前記記録ヘッドにフラッシング駆動信号を供給することによって、印刷途中において記録ヘッドとの間に隙間が形成された状態にあるキャッピング手段にインクを吐出させるインクジェット式記録装置のフラッシング方法において、前記吐出したインクを受けるキャッピング手段に接続された吸引ポンプを記録ヘッドがフラッシング駆動される前から駆動し、前記隙間からキャッピング手段に流れ込む気流を予め発生させ、かつ、前記記録ヘッドのフラッシング駆動中も、前記吸引ポンプを駆動し、前記隙間からキャッピング手段に流れ込む気流を発生させ、記録ヘッドとキャッピング手段の間に漂うインクミストを前記キャッピング手段に吸収することを特徴とするインクジェット式記録装置のフラッシング方法。」
　補正発明２：「前記キャッピング手段に接続された吸引ポンプは、記録ヘッドのフラッシング駆動が終了した後、所定時間経過するまで駆動されると共に、記録装置内の温度上昇を抑えるための排気ファンが前記フラッシング動作中停止することを特徴とする請求項１に記載されたインクジェット式記録装置のフラッシング方法。」
　
４．独立特許要件の欠如その１
　上記補正事項５につき、本件補正後請求項２の「フラッシング駆動」とは区別して「フラッシング動作」としている。そうすると、例えば、「フラッシング駆動」とは実際にノズル開口からキャッピング手段にインクを吐出している期間を指し、「フラッシング動作」とは「フラッシング駆動」の前の吸引ポンプによる気流の発生から吸引ポンプの停止・「フラッシング駆動」の停止・排気ファンの停止を含めた期間の全体を指すものとも解し得るが、そもそも「フラッシング駆動」とは異なる「フラッシング動作」の定義自体が如何なるものであるのか把握することができないし、「フラッシング動作中停止する」とは、一体いつ停止するのか把握できるものとはいえない。
　したがって、本件補正後請求項２の記載は特許法第３６条第６項２号に規定する要件を満たしていないから、本件補正後請求項２に係る発明は特許出願の際独立して特許を受けることができない。
　すなわち、本件補正は特許法第１７条の２第５項で準用する同法第１２６条第４項の規定に違反している。
　
５．独立特許要件の欠如その２
（１）引用刊行物の記載事項
　原審の拒絶理由で引用した、本願出願日前である平成５年８月１０日に頒布された特開昭５−２０１０２９号公報には、次の事項が記載されている。
　（ア）「【請求項５】熱インクヘッドのインク保持部を通常インク吐出時よりも高温に温度制御すると共に熱インクヘッド内部にインクを強制供給する工程と、インク保持部の熱作用部に形成するための熱エネルギーを供給することで気泡を形成してインクを吐出させるために必要な最小限の駆動パルス幅の１．２５倍以上の駆動パルス幅を供給して２×１０5回以上の予備吐出を上記熱インクヘッドから離れたキャッピング手段に対して実行させると共に、該吸引手段による該キャッピング手段から大気下におけるキャップ内インクの吸引を行わせる強制回復工程と、を有することを特徴とするインクヘッドの回復方法。」（【特許請求の範囲】参照。）
　（イ）「インクジェット記録の分野では、記録以外にインクを吐出口から排出せしめる工程として予備吐出と言われる回復が実行されている。この予備吐出を記録中や待機中を含めて適切な排出を達成する発明として英国特許第２１６９８５５号明細書が知られている。この公報には、予備吐出として通常の記録中に実行される回復に関して具体的に記載されて発明として明記されている。」（【０００３】参照。）
　（ウ）「予備吐出時にキャップを記録ヘッドに密着させたところ、逆に、上記記録ヘッド表面を大量の排出インクで覆うことになってしまった。この結果、安定したインク吐出ができなくなり、更には記録ヘッド表面をクリーニングすることが困難となり、通常のブレードクリーニングでは除去できないインクが記録ヘッド表面に残存してしまった。この状態で、記録を行うと記録用のインク吐出を乱してしまった。要するに、上記前提構成では、記録ヘッド内の回復は達成できても、新たに、記録ヘッド表面の回復問題を引き起こし、結果的に十分な回復結果を得ることができなかった。」（【０００９】参照。）
　（エ）「図１は、本発明の実施例におけるシリアルスキャン型式のカラーインクジェット記録装置の要部構成を示す斜視図である。」（【００２０】参照。）
　（オ）「図９、図１２を用いて記録ヘッドの長期間放置後におけるインク吐出正常化のためのヘッドリフレッシングモードについて説明する。なお、本実施例は、記録ヘッドの吐出口面とキャップとが離間した状態（即ち、キャップ自体が大気連通状態）で行われるモードについての例である。まず、長期間放置後の記録ヘッドの保温温度を回復効果を高めるために３５℃から６５℃（６０℃以上が好ましく、７０℃以下にすることがより好ましい。）に切り換える。図１２は、図９のタンミングチャートをフローチャートとして説明するもので、補足説明として利用する。ヘッド温度が６５℃に達したら、回復ユニットの各部カムをＡの範囲で一往復させる。この動作によりキャップが記録ヘッドの吐出口形成面と密着した状態でピストンが動作し、インクを吸引した後キャップが吐出口形成面より離れ、更にピストンが動作しキャップ中のインクが空吸引されキャップ内インクが回収される。この動作によって記録ヘッドを６５℃まで急激に昇温させたことにより生じたヘッド内部の気泡を取り除くことができる。このとき、アクセスレバーがキャリッジに対して進退を行うことにより各色ヘッドとキャップの位置が正確に保たれる。次にキャリッジを一度回復ユニットがあるホームポジションから記録領域側に移動退避させた後、各カムをＣの位置で固定し、ブレードをキャリッジに対して前進させ、この状態でキャリッジを再びホームポジション側に走査移動させることで吐出口形成面に付着したインク滴やゴミなどを除去する。次に各カムをＢ１の範囲で往復させながら駆動周波数を通常の記録動作時に印加させる値の２分の１である３ＫＨｚに落し、パルス時間を通常の記録動作時に印加される値の３μｓに対して１μｓ長くした４μｓでヒーターを駆動させて対向配置されているキャップに向けてインクを吐出する。なお、前述したインク吐出工程では、Ｂ１の範囲でカムを一往復させることによりキャップは吐出口形成面より離れた状態で吸引ポンプが一往復し空吸引をインクの吐出に応じて行っている。このＢ１の範囲でのカムの一往復により吸引ポンプが一往復するがその間に記録ヘッドからは一吐出口あたり１００００パルスの吐出が行われることになる。このインクの吐出量はキャップ内に向かって吐出したインクがキャップからあふれる前に前述のポンプによる吸引動作でキャップ内のインクを十分空吸引可能な量である。一吐出口あたり２５００００パルスの吐出すなわちピストンが２５往復するとヘッドフラッシングモードの吐出を終了する。このときも、アクセスレバーがキャリッジに対して進退を繰り返し、ヘッドインク吐出口とキャップの位置が正確に保たれ、キャップ外へインクが吐出されることはない。次に、キャリッジを再び回復ユニットがあるホームポジションから記録領域側に退避させた後、ブレードをＣの位置で前進させて固定し、キャリッジをホームポジション側に向かって移動させることで吐出口形成面を清掃後ブレードを後退させ、つづいて各カムをＤの位置に固定し、拭き部材をキャリッジに対して前進させ、キャリッジを拭き部材上で往復移動させて更に吐出口形成面を清掃してヘッドフラッシングモードの全工程を終了する。このようにキャップを記録ヘッドから離間させた状態で、キャップ内に吐出させたインクを吸引しているので、ポンプによって発生された負圧が記録ヘッドに対して不必要に作用せずヒーターの発熱によるヒーターのリフレッシュを含めた吐出回復が良好に行われる。本実施例によれば、吐出口形成面とキャップ部材とは離間した状態で所定の距離が保たれているため、キャップ内のインクの跳ね返り等により吐出口形成面が濡れ、吐出不良を起こすといった問題がない。また、たとえ、インクミストなどが吐出口形成面に付着してもインク吐出後のクリーニングにより清掃されるため吐出口形成面の濡れた状態が解消されるためインクの吐出に関して問題を起こすことはない。また、常にキャップに向けてインクを吐出させ、このインクの吐出に応じてキャップ内からインクを吸引しているため回復のために使用されていた無駄な被記録材を使用することなく効率的に吐出回復が可能である。」（【００６８】〜【００７７】参照。）
　（カ）「図１１の装置において、通常の回復モードとして、キャップ密閉による記録熱ヘッドからの吸引回復や通常の予備吐出（パルス数１０3未満）或は通常のブレードクリーニング等が行われる。又、図１１装置は、強制回復モードとして図１２に示すフローチャートも実行できる。通常ヘッド温度制御回路６１６は、ヘッド温度を３５℃に温調しており、その異常温度上昇限度を７０℃としてリミッター制御している。強制回復モードでは、前述したように、この温調設定温度を６５℃に設定しているので、この異常温度上昇限度を８０℃に変更することで、６５℃温調を可能にする。図１２において、ステップＳ１〜ステップＳ１０までの工程が、フラッシングモードを実行するにあたっての前処理工程として行われ、ステップＳ１１が、本発明でいう機械的係合による位置決め工程と言える。以下、ベストモードを説明する。フラッシングモードが選択されるとステップＳ１の判定が“Ｙｅｓ”となって、ヘッド保温温度を通常の３５℃から６５℃に変更し、その限定温度になるまで、保温ヒータにより加熱される（ステップＳ３）。６５℃調整状態になると、高温温調のためにインク中の容存気泡がヘッド内部で微小気泡として残存する場合があるので、これを除去するための通常の吸引回復条件での回復がステップＳ４〜ステップＳ６で行われる。この際、アクセスバーによる位置決めは不要であるが、本実施例では、フラッシング時の高精度位置決めを利用している。この吸引が終了すると、キャップを記録ヘッドから離脱させ（ステップＳ７）た後、通常空吸引モードによってキャップ内インクを排出しておく（ステップＳ８，Ｓ９）。これは、キャップ内インクの残存をなくして、フラッシング予備吐出の大量インクをより確実にキャップ内に確保し得る状態に初期化するためである。この後ステップＳ１０では、記録ヘッドの吐出口形成面をワイパブレードによりさらに清掃して、結露の発生原因を予め取り除く効果がある。尚、上述の６５℃ヘッド温調は、単独で行われているが、より容存気泡の気化を防止することを重視すれば、６５℃温調への切換えと同時に前述の吸引回復工程を併用して、記録ヘッド内インクを適切な状況に維持しつつ加熱を実行することも可能である。次に、記録ヘッドから離間しているキッャプの位置を再確認、或は、微調整する工程がステップＳ１１である。この工程は、キャリッジ移動型や、キャリッジ移動に連動して回復手段の駆動切換えを行うものには特に有効であり、又キャップ自体がイコライズ可能な構成にも特に有効である。いずれにしてもステップＳ１１では、キャップをほとんど前後移動させることなく、アクセスバーのみをキャリッジに対して係合せしめ、記録ヘッドとこれを離間しているキャップとを正対状態に確保する。この後、ステップＳ１２では、通常予備吐出よりも高エネルギー（本例では供給パルス幅を大としている）で記録ヘッドに予備吐出を行わせると同時に、キャップ内部に対しては空吸引工程を実行する。これにより、電気熱変換体のインクに対する熱作用面上のたい積物は除去され、熱エネルギーを記録用の膜沸騰による気泡形成に効率よく適用することができ、ヘッド内部の回復は達成される。同時に記録ヘッドの吐出口形成面��は、除去不能なインク付着は存在していない。次にステップＳ１４では、この吐出口形成面をワイパブレードで清掃する。これは、高温温調によって生じる水蒸気の付着を除去するものである。本実施例ではステップＳ１４のワイピングをフラッシング吐出終了後に行っているが、より好ましくは、フラッシグ吐出数１×１０4当たりといった所定割合毎に１回ワイピングを行うことが良い。これは、水蒸気による露結が他の浮遊ゴミを吸着してしまうことを未然に防止することができるからである。本例の好ましい例を挙げれば、フラッシング総パルス数２．５×１０5のとき、５×１０4パルス終了毎に、（予備吐出＋空吸引）を中断して、ワイピングを行い、さらにステップＳ１１による位置決めを行った後に（予備吐出＋空吸引）を再開するようにすると最適であった。ステップＳ１５の拭き部材による拭き動作は、必要に応じて行うもので、本例では、カラー複数記録ヘッドのため採用している。この工程は、吐出口形成面に通常形成される撥水処理面の機能をより最適に復活させるためのものである。このように、本質的なフラッシング本処理工程が終了すると記録ヘッドを早急に記録可能状態へもどす必要がある。そのため、本例ではまず、当然のことであるが、記録ヘッド温調温度を通常の３５℃にもどす（ステップＳ１６）。更に、記録熱ヘッド内部のインクは高温化されているので、このインクを排出させて、徐々に且つ確実に温度を降下せしめるものがステップＳ１７〜ステップＳ２２である。このステップは、キャップ密閉による記録ヘッドへの密着（Ｓ１７）と吸引回復工程（Ｓ１８）とキャップ離脱後の空吸引（Ｓ２０，Ｓ２１）とである。これによってキャップ内インクはさらになくなり、又ヘッド内インクも再充填されることで温度は低下する。ステップＳ２３のワイピングは、キャップが吐出口形成面に当接した際のインク付着を除去するものである。この後、ヘッド温度が５５℃以下になると（ステップＳ２４）、印字可能がステップＳ２５で表示され、フラッシングモード全工程が終了する。以上、本実施例は、好ましい条件をすべて実行するものであるが、本発明のクレームされている各発明単位毎に夫々の有効な効果があることはいうまでもない。」（【０１０４】〜【０１１４】参照。）
　
（２）引用刊行物に記載の発明の認定
　したがって、上記各記載事項を含む引用刊行物の全記載及び図示によれば、引用刊行物には、下記の発明（以下、「引用発明」という。）が記載されていると認められる。
　「シリアルスキャン型式のインクジェット記録装置の長期間放置後におけるインクヘッドの回復方法において、予備吐出をインクヘッドから離れたキャッピング手段に対して実行させると共に、吸引手段によるキャッピング手段から大気下におけるキャップ内インクの吸引を同時に行わせる強制回復工程と、を有するインクヘッドの回復方法。」
　
（３）補正発明１と引用発明との一致点及び相違点の認定
　引用発明の「シリアルスキャン型式のインクジェット記録装置」が、補正発明１でいう「記録用紙の幅方向に移動するキャリッジ上に装填され、ノズル開口からインク滴を吐出して記録媒体に画像を形成するインクジェット式記録ヘッド」を備えていることは、あきらかである。
　引用発明の「予備吐出」は、補正発明１の「記録ヘッドにフラッシング駆動信号を供給することによって、キャッピング手段にインクを吐出させるインクジェット式記録装置のフラッシング」に相当する。したがって、引用発明の「インクヘッドの回復方法」は、補正発明１の「インクジェット式記録装置のフラッシング方法」に相当する。
　引用発明の「予備吐出をインクヘッドから離れたキャッピング手段に対して実行させると共に、吸引手段によるキャッピング手段から大気下におけるキャップ内インクの吸引を同時に行わせる強制回復工程」は、「前記記録ヘッドのフラッシング駆動中も、前記吸引ポンプを駆動」することを包含する。
　したがって、補正発明１と引用発明を対比すると、両者は、
　「記録用紙の幅方向に移動するキャリッジ上に装填され、ノズル開口からインク滴を吐出して記録媒体に画像を形成するインクジェット式記録ヘッドを備え、前記記録ヘッドにフラッシング駆動信号を供給することによって、記録ヘッドとの間に隙間が形成された状態にあるキャッピング手段にインクを吐出させるインクジェット式記録装置のフラッシング方法において、前記記録ヘッドのフラッシング駆動中、前記吸引ポンプを駆動することを特徴とするインクジェット式記録装置のフラッシング方法。」
である点で一致し、以下の各点で相違する。
（ア）相違点１
　フラッシングの実行時期につき、補正発明１が印刷途中であるのに対して、引用発明は長期間放置後である点。
（イ）相違点２
　フラッシングの際の吸引ポンプの駆動開始時期につき、補正発明１がフラッシング駆動される前から駆動するのに対し、引用発明は同時に行う点。
（ウ）相違点３
　吸引ポンプの駆動に伴い、補正発明１では記録ヘッドとキャッピング手段との隙間からキャッピング手段に流れ込む気流を発生させて記録ヘッドとキャッピング手段の間に漂うインクミストを吸収しているのに対し、引用発明ではその点が明らかでない点。
　
（４）相違点についての判断
（ア）相違点１について
　上記記載事項（イ）にあるように、記録中・待機中を含めてインクジェット式記録装置の回復方法として、予備吐出は周知であり、また、記録中であれば印刷スループットを落とさないように吐出数を制限したりすることや、待機中は目詰まりから回復させるために通常の印字より高圧でインクを吐出させたりすること等、種々の工夫がなされてきていることも周知である。そうすると、相違点１に係る補正発明１は、当業者が前記周知の事項を参酌し、容易に想到し得るものである。
（イ）相違点３について
　上記「２．補正目的（２）補正事項２について」で述べたように、記録ヘッドとキャッピング手段との間に隙間を形成した状態で吸引ポンプを駆動すれば、記録ヘッドとキャッピング手段との隙間からキャッピング手段に流れ込む気流が発生すること、及びインクの吐出に伴いインクミストが発生するから記録手段とキャッピング手段との間にはインクミストが漂っているのであるから、キャッピング手段に接続された吸引ポンプが駆動されればインクミストはキャッピング手段に吸引されることは自明である。そうすると、引用発明においても記録ヘッドとキャッピング手段との隙間からキャッピング手段に流れ込む気流を発生させて記録ヘッドとキャッピング手段の間に漂うインクミストを吸収しているのであるから、相違点３は実質的相違点ではない。
（ウ）相違点２について
　上記相違点３が実質的相違点でないことを踏まえると、補正発明１も引用発明もフラッシングにより吐出されるインク及びそれに伴い発生するインクミストを記録ヘッドとキャッピング手段との隙間からキャッピング手段に流れ込む気流を発生させてキャッピング手段に吸収させるのであるから、フラッシングによるインクの吐出及びインクミストの発生時点において既に気流が発生している方がキャッピング手段にインクとインクミストを導きやすく、結果として吸収されやすくなることは当業者にとって自明な事項である。そうすると、当業者ならば、当然、フラッシング駆動の前から吸引ポンプの駆動を開始するのであって、吸引ポンプの駆動開始時期をフラッシング駆動前から行うようにすることは、当業者なら当然採用し得る設計事項である。そうすると、相違点２に係る補正発明１は、当業者が容易に想到し得るものである。
　
（５）補正発明１の独立特許要件の判断
　相違点１〜３は、実質的相違点でないか、又は当業者にとって想到容易な相違点であって、これら相違点に係る補正発明１の発明特定事項を採用したことによる格別の作用効果を認めることもできない。
　したがって、補正発明１は、引用発明に基づいて当業者が容易に発明をすることができたものであるから、特許法第２９条第２項の規定により、特許出願の際独立して特許を受けることができない。
　
【補正却下の決定の結び】
　以上のとおり、本件補正は特許法第１７条の２第４項の規定に違反しているから、特許法第１５９条第１項で読み替えて準用する同法第５３条第１項の規定により、本件補正は却下されなければならない。また、本件補正前の【請求項１】及び【請求項２】を限定的に減縮した補正発明１及び補正発明２が特許出願の際独立して特許を受けることができないから、本件補正は平成１５年改正前特許法第１７条の２第５項で準用する同法第１２６条第４項の規定に違反している。したがって、同法第１５９条第１項で読み替えて準用する同法第５３条第１項の規定により、本件補正は却下されなければならない。
　よって、補正の却下の決定の結論のとおり決定する。
　
第３　本件審判請求についての当審の判断
１．本願発明の認定
　本件補正が却下されたから、本願の請求項１に係る発明（以下、「本願発明」という。）は、平成１５年１月７日付けで補正された明細書の特許請求の範囲【請求項１】に記載された事項によって特定される次のとおりのものと認める。
　「記録用紙の幅方向に移動するキャリッジ上に装填され、ノズル開口からインク滴を吐出して記録媒体に画像を形成するインクジェット式記録ヘッドを備え、前記記録ヘッドにフラッシング駆動信号を供給することによって、記録ヘッドとの間に隙間が形成された状態にあるキャッピング手段にインクを吐出させるインクジェット式記録装置のフラッシング方法において、前記吐出したインクを受けるキャッピング手段に接続された吸引ポンプを記録ヘッドがフラッシング駆動される前から駆動し、かつ、前記記録ヘッドのフラッシング駆動中も、前記吸引ポンプを駆動し、インクミストを吸引することを特徴とするインクジェット式記録装置のフラッシング方法。」
　
２．本願発明の進歩性の判断
　引用発明の「シリアルスキャン型式のインクジェット記録装置」が、本願発明でいう「記録用紙の幅方向に移動するキャリッジ上に装填され、ノズル開口からインク滴を吐出して記録媒体に画像を形成するインクジェット式記録ヘッド」を備えていることは、あきらかである。
　引用発明の「予備吐出」は、本願発明の「記録ヘッドにフラッシング駆動信号を供給することによって、キャッピング手段にインクを吐出させるインクジェット式記録装置のフラッシング」に相当する。したがって、引用発明の「インクヘッドの回復方法」は、本願発明の「インクジェット式記録装置のフラッシング方法」に相当する。
　引用発明の「予備吐出をインクヘッドから離れたキャッピング手段に対して実行させると共に、吸引手段によるキャッピング手段から大気下におけるキャップ内インクの吸引を同時に行わせる強制回復工程」は、「前記記録ヘッドのフラッシング駆動中も、前記吸引ポンプを駆動」することを包含する。
　したがって、本願発明と引用発明とは、
　「記録用紙の幅方向に移動するキャリッジ上に装填され、ノズル開口からインク滴を吐出して記録媒体に画像を形成するインクジェット式記録ヘッドを備え、前記記録ヘッドにフラッシング駆動信号を供給することによって、記録ヘッドとの間に隙間が形成された状態にあるキャッピング手段にインクを吐出させるインクジェット式記録装置のフラッシング方法において、前記記録ヘッドのフラッシング駆動中、前記吸引ポンプを駆動することを特徴とするインクジェット式記録装置のフラッシング方法。」
である点で一致し、以下の各点で相違する。
（ア）相違点２’
　フラッシングの際の吸引ポンプの駆動開始時期につき、本願発明がフラッシング駆動される前から駆動するのに対し、引用発明は同時に行う点。
（イ）相違点３’
　吸引ポンプを駆動して、本願発明ではインクミストを吸引しているのに対し、引用発明ではその点が明らかでない点。
　これらの相違点について検討するに、上記「第２　補正却下の決定　５．独立特許要件の欠如その２　（４）相違点についての判断」で述べたと同様の理由により、これら相違点は、実質的相違点でないか、又は当業者にとって想到容易な相違点であって、これら相違点に係る本願発明の発明特定事項を採用したことによる格別の作用効果を認めることもできない。
　したがって、本願発明は、引用発明記載の技術に基づいて当業者が容易に発明をすることができたものであるから、特許法第２９条第２項の規定により、特許を受けることができない。
　
第４　むすび
　以上のとおり、本件補正は却下されなければならず、本願発明が特許を受けることができない以上、本願のその余の請求項に係る発明について検討するまでもなく、本願は拒絶を免れない。
　よって、結論のとおり審決する。